【手続補正書】
【提出日】平成29年5月17日(2017.5.17)
【手続補正１】
【補正対象書類名】特許請求の範囲
【補正対象項目名】全文
【補正方法】変更
【補正の内容】
【特許請求の範囲】
【請求項１】
外面側から内面側にかけて、ポリエチレン樹脂を主成分とする熱可塑性樹脂層（Ａ層）、紙基材層（Ｂ層）、ポリエチレン樹脂を主成分とする熱可塑性樹脂層（Ｃ層）、バリア層（Ｄ層）、エチレン・メタアクリル酸共重合樹脂を主成分とする接着層（Ｅ層）、ポリエチレン樹脂を主成分とする熱可塑性樹脂層（Ｆ層）、ポリエチレン樹脂とポリプロピレン樹脂を混合した熱可塑性樹脂層（Ｇ層）、ポリオレフィン系樹脂に多価アルコールもしくはその誘導体およびポリオキシエチレン誘導体から選ばれる配合剤を添加した熱可塑性樹脂層（Ｈ層）を備えた容器材料からなることを特徴とする充填食品用紙容器。
【請求項２】
前記熱可塑性樹脂層（Ｇ層）を構成するポリエチレン樹脂とポリプロピレン樹脂の混合比は３：７〜４：６であることを特徴とする請求項１に記載の充填食品用紙容器。
【請求項３】
前記熱可塑性樹脂層（Ｈ層）を構成するポリオレフィン系樹脂は、直鎖状低密度ポリエチレン樹脂であることを特徴とする請求項１または２のいずれか１項に記載の充填食品用紙容器。
【手続補正２】
【補正対象書類名】明細書
【補正対象項目名】００１０
【補正方法】変更
【補正の内容】
【００１０】
上記の目的を達成するために、請求項１に記載の発明に係る充填食品用紙容器は、外面側から内面側にかけて、ポリエチレン樹脂を主成分とする熱可塑性樹脂層（Ａ層）、紙基材層（Ｂ層）、ポリエチレン樹脂を主成分とする熱可塑性樹脂層（Ｃ層）、バリア層（Ｄ層）、エチレン・メタアクリル酸共重合樹脂を主成分とする接着層（Ｅ層）、ポリエチレン樹脂を主成分とする熱可塑性樹脂層（Ｆ層）、ポリエチレン樹脂とポリプロピレン樹脂を混合した熱可塑性樹脂層（Ｇ層）、ポリオレフィン系樹脂に多価アルコールもしくはその誘導体およびポリオキシエチレン誘導体から選ばれる配合剤を添加した熱可塑性樹脂層（Ｈ層）を備えた容器材料からなることを特徴とする。
【手続補正３】
【補正対象書類名】明細書
【補正対象項目名】００１２
【補正方法】変更
【補正の内容】
【００１２】
請求項３に記載の発明に係る充填食品用紙容器は、請求項１または２のいずれか１項に記載の、前記熱可塑性樹脂層（Ｈ層）を構成するポリオレフィン系樹脂は、直鎖状低密度ポリエチレン樹脂であることを特徴とする。
【手続補正４】
【補正対象書類名】明細書
【補正対象項目名】００１５
【補正方法】変更
【補正の内容】
【００１５】
請求項３に記載の充填食品用紙容器によれば、請求項１または２のいずれか１項に記載の、前記熱可塑性樹脂層（Ｈ層）を構成するポリオレフィン系樹脂は、直鎖状低密度ポリエチレン樹脂としたので、強い接着強度、耐熱性、ピンホール耐性を得ることができる。
【手続補正５】
【補正対象書類名】明細書
【補正対象項目名】００１７
【補正方法】変更
【補正の内容】
【００１７】
以下、本発明に係る充填食品用紙容器の実施の形態の一例を図面を参照して詳細に説明する。
図１は本発明に係る充填食品用紙容器を形成する容器材料の積層構造の一例を示す説明図である。
本例の充填食品用紙容器は、外面側から内面側にかけて、ポリエチレン樹脂を主成分とする熱可塑性樹脂層（Ａ層）、紙基材層（Ｂ層）、ポリエチレン樹脂を主成分とする熱可塑性樹脂層（Ｃ層）、バリア層（Ｄ層）、エチレン・メタアクリル酸共重合樹脂を主成分とする接着層（Ｅ層）、ポリエチレン樹脂を主成分とする熱可塑性樹脂層（Ｆ層）、ポリエチレン樹脂とポリプロピレン樹脂を混合した熱可塑性樹脂層（Ｇ層）、ポリオレフィン系樹脂に多価アルコールもしくはその誘導体およびポリオキシエチレン誘導体から選ばれる配合剤を添加した熱可塑性樹脂層（Ｈ層）を備えた容器材料で形成されている。
【手続補正６】
【補正対象書類名】明細書
【補正対象項目名】００２０
【補正方法】変更
【補正の内容】
【００２０】
また、熱可塑性樹脂層（Ｈ層）は、最内層（容器内面）を構成するものであり、本例では、直鎖状低密度ポリエチレン樹脂（ＬＬＤＰＥ）を成分としており、直鎖状低密度ポリエチレン樹脂（ＬＬＤＰＥ）に多価アルコールもしくはその誘導体およびポリオキシエチレン誘導体から選ばれる配合剤が添加されている。配合剤の添加量にあっては、５〜２０％、好ましくは１０％である。配合剤の添加量が５％未満であると、紙容器の内面、即ち熱可塑性樹脂層（Ｈ層）と食品との身離れ性が低下し、２０％を超えると、熱可塑性樹脂層（Ｈ層）の接着性が低下する。
【手続補正７】
【補正対象書類名】明細書
【補正対象項目名】００２１
【補正方法】変更
【補正の内容】
【００２１】
以上のように構成された積層構造を備えた容器素材で形成された充填食品用紙容器によれば、紙容器の内面となる紙容器材料の最内層をポリオレフィン系樹脂に多価アルコールもしくはその誘導体およびポリオキシエチレン誘導体から選ばれる配合剤を添加した熱可塑性樹脂層（Ｈ層）としたので、紙容器の内面と食品との身離れ性が良くなり、紙容器から食品を容易に取り出せる。
また、熱可塑性樹脂層（Ｈ層）の内側のポリエチレン樹脂を主成分とする熱可塑性樹脂層（Ｆ層）との間にポリエチレン樹脂とポリプロピレン樹脂を混合した熱可塑性樹脂層（Ｇ層）を介在させた積層構造となっているので、豆腐等の食品の材料を容器に充填し、密封し加熱固化する製造の過程で、最内層である熱可塑性樹脂層（Ｈ層）からの配合剤の溶出が熱可塑性樹脂層（Ｇ層）により抑えられ、熱可塑性樹脂層（Ｆ層）への移行を防止することができ、熱可塑性樹脂層（Ｆ層）からの前記熱可塑性樹脂層（Ｈ層）の剥離の発生を防止できる。
【手続補正８】
【補正対象書類名】明細書
【補正対象項目名】００２２
【補正方法】変更
【補正の内容】
【００２２】
以下、本発明に係る充填食品用紙容器の実施例と比較例を挙げ、剥離性及び身離れ性の試験結果を説明する。
＜実施例＞
実施例１
外面側から内面側にかけて、ポリエチレン樹脂を主成分とする熱可塑性樹脂層（Ａ層）、紙基材層（Ｂ層）、直鎖状低密度ポリエチレン樹脂（ＬＬＤＰＥ）を主成分とする熱可塑性樹脂層（Ｃ層）、バリア層（Ｄ層）、エチレン・メタアクリル酸共重合樹脂を主成分とする接着層（Ｅ層）、高圧法低密度ポリエチレン樹脂（ＬＤＰＥ）を主成分とする熱可塑性樹脂層（Ｆ層）、ポリエチレン樹脂とポリプロピレン樹脂を４：６の比で混合した熱可塑性樹脂層（Ｇ層）、ポリオレフィン系樹脂に多価アルコールもしくはその誘導体およびポリオキシエチレン誘導体から選ばれる配合剤を５％添加した高圧法低密度ポリエチレン樹脂（ＬＤＰＥ）を成分とする熱可塑性樹脂層（Ｈ層）を備えた容器材料で紙容器を形成した。
実施例２
実施例１の熱可塑性樹脂層（Ｇ層）におけるポリエチレン樹脂とポリプロピレン樹脂を３：７の比で混合し、それ以外は実施例１と同じ熱可塑性樹脂層を備えた容器材料で紙容器を形成した。
実施例３
実施例１の熱可塑性樹脂層（Ｈ層）のポリオレフィン系樹脂に多価アルコールもしくはその誘導体およびポリオキシエチレン誘導体から選ばれる配合剤の添加量として２０％添加し、それ以外は実施例１と同じ熱可塑性樹脂層を備えた容器材料で紙容器を形成した。
＜比較例＞
比較例１
実施例１と同じ積層構造で構成され、実施例１のＧ層に相当する熱可塑性樹脂層を、ポリエチレン樹脂とポリプロピレン樹脂の混合比でポリエチレン樹脂が４を超える割合で混合した熱可塑性樹脂層とし、それ以外の熱可塑性樹脂層を実施例１と同じ熱可塑性樹脂層を備えた容器材料で紙容器を形成した。
比較例２
実施例１と同じ積層構造で構成され、実施例１のＧ層に相当する熱可塑性樹脂層を、ポリエチレン樹脂とポリプロピレン樹脂の混合比でポリエチレン樹脂が３未満の割合で混合した熱可塑性樹脂層とし、それ以外の熱可塑性樹脂層を実施例１と同じ熱可塑性樹脂層を備えた容器材料で紙容器を形成した。
比較例３
実施例１と同じ積層構造で構成され、実施例１の熱可塑性樹脂層（Ｈ層）に相当する熱可塑性樹脂層をポリオレフィン系樹脂に多価アルコールもしくはその誘導体およびポリオキシエチレン誘導体から選ばれる配合剤の添加量として４％添加した熱可塑性樹脂層とし、それ以外は実施例１と同じ熱可塑性樹脂層を備えた容器材料で紙容器を形成した。